(57)【要約】【課題】ガスコンロの後方に壁が存在し、ガスコンロがこの後方の壁と近接して設置されたときにも、コンロバーナへの空気の供給に支障が生じることのないガスコンロを提供する。【解決手段】トッププレート１２の上方に位置する炎孔１を備えたバーナヘッド２と、コンロ本体２０の内部に位置する燃料ガスと燃料ガスを燃焼させるための一次空気とを混合する混合管３とを有するブンゼン式のコンロバーナ１０を備え、トッププレートにおける後方側の領域に、混合管に一次空気を供給するための吸気口６０が形成され、吸気口の要部を覆うようにカバー体７０が配設されたガスコンロＡ１において、カバー体は、吸気口の前端部より前方側の位置において、トッププレートの上面１２ａ側から上方に向かって立ち上がる立ち上がり部７０ａと、吸気口の上方を覆う上方カバー部７０ｂを備えており、カバー体は、一次空気が通過する空気通過口８０を備えている構成とする。【選択図】図２
2019082271.tif 000002
【特許請求の範囲】
【請求項１】
コンロ本体と、
前記コンロ本体の上面を覆うトッププレートの上方に位置する炎孔を有するバーナヘッドと、前記コンロ本体の内部に位置する燃料ガスと前記燃料ガスを燃焼させるための一次空気とを混合する混合管とを備えたブンゼン式のコンロバーナを具備し、
通常使用者が位置する側を前方側、その逆側を後方側とした場合に、前記トッププレートにおける後方側の領域に、前記混合管に前記一次空気を供給するための吸気口が形成されているとともに、
前記吸気口の要部を覆うように、前記トッププレート上にカバー体が配設されているガスコンロであって、
前記カバー体は、前記吸気口の前端部より前方側の位置において、前記トッププレートの上面側から上方に向かって立ち上がる立ち上がり部と、前記吸気口の上方を覆う上方カバー部とを備えており、  
前記カバー体は、前記一次空気が通過する空気通過口を備えていること
を特徴とするガスコンロ。
【請求項２】
前記空気通過口が、前記カバー体の前記立ち上がり部に形成されていることを特徴とする請求項１記載のガスコンロ。
【請求項３】
前記空気通過口の下端が、前記トッププレートの上面から所定距離だけ上方に位置するように構成されていることを特徴とする請求項１または２記載のガスコンロ。
【発明の詳細な説明】
【技術分野】
【０００１】
本発明は、ガスバーナを備えたガスコンロに関し、詳しくは、ガスコンロの上面を構成するトッププレートに、ガスバーナの燃焼用の一次空気を供給するための吸気口を備えたガスコンロに関する。
【背景技術】
【０００２】
ガスコンロには、炎孔が設けられたバーナヘッドと、燃料ガスとその燃焼用の一次空気とを混合する混合管とを備えたガスバーナが広く用いられている。そして、トッププレート上にバーナヘッドの炎孔が位置し、コンロ本体内に燃料ガスと一次空気とを混合する混合管が位置するように構成されたものが多い。
【０００３】
ところで、特許文献１には、コンロ本体内の混合管に一次空気を供給するために、トッププレートにおける後方側領域に空気取り入れ用の開口部（空気通過口）を設けたガスコンロが開示されている。
【０００４】
この特許文献１のガスコンロにおいては、フード様の形状をしたカバー体（空気入口案内装置）が、上述の空気取り入れ用の開口部の上方を覆うように設けられている。
【０００５】
そして、この特許文献１のガスコンロにおいては、フード様の形状をしたカバー体（空気入口案内装置）により、空気取り入れ用の開口部の上方が覆われることから、空気取り入れ用の開口部が、カバー体（空気入口案内装置）によって遮られ、使用者からは見えない（あるいは見えにくい）ため美観が保たれる。
【０００６】
すなわち、カバー体（空気入口案内装置）は、トッププレートの開口部が設けられている位置の手前側に配設され、奥側が空気入口となるように構成されているため、空気取り入れ用の開口部は使用者の視界から遮られ、美観が保たれることになる。
【先行技術文献】
【特許文献】
【０００７】
【特許文献１】特許第３６０５２１８号公報
【発明の概要】
【発明が解決しようとする課題】
【０００８】
ところで、特許文献１に記載のガスコンロにおいては、上述のように、フード様の形状をしたカバー体（空気入口案内装置）により、空気取り入れ用の開口部が覆われるため、空気取り入れ用の開口部が使用者からは見えず、美観が損なわれることを回避できるが、空気取り入れ用の開口部およびカバー体（空気入口案内装置）がトッププレートにおける奥側の領域に配設されている場合に、ガスコンロが、例えば、後方に壁が存在する領域に、後端が壁に近接する態様で配置された場合、カバー体の後方側から空気を取り入れることが困難になり、コンロバーナへの空気の供給に支障が生じるおそれがある。
【０００９】
ガスコンロの後方に壁が存在する場合において、ガスコンロを後方の壁と近接して設置することが省スペースの観点から好ましい場合があり、後方の壁に近接して設置してもコンロバーナへの空気の供給に支障が生じないガスコンロへの要求があるのが実情である。
【００１０】
本発明は、上記課題を解決するものであり、トッププレートにおける後方領域に吸気用の開口部（吸気口）を備え、吸気口の上方にこの吸気口を覆うカバー体が設けられたガスコンロであって、ガスコンロの後方に壁が存在し、ガスコンロがこの後方の壁と近接して設置された場合にも、コンロバーナへの空気の供給に支障が生じることのない、信頼性の高いガスコンロを提供することを目的とする。
【課題を解決するための手段】
【００１１】
上記の目的を達成するために、本発明のガスコンロは、
コンロ本体と、
前記コンロ本体の上面を覆うトッププレートの上方に位置する炎孔を有するバーナヘッドと、前記コンロ本体の内部に位置する燃料ガスと前記燃料ガスを燃焼させるための一次空気とを混合する混合管とを備えたブンゼン式のコンロバーナを具備し、
通常使用者が位置する側を前方側、その逆側を後方側とした場合に、前記トッププレートにおける後方側の領域に、前記混合管に前記一次空気を供給するための吸気口が形成されているとともに、
前記吸気口の要部を覆うように、前記トッププレート上にカバー体が配設されているガスコンロであって、
前記カバー体は、前記吸気口の前端部より前方側の位置において、前記トッププレートの上面側から上方に向かって立ち上がる立ち上がり部と、前記吸気口の上方を覆う上方カバー部とを備えており、  
前記カバー体は、前記一次空気が通過する空気通過口を備えていること
を特徴としている。
【００１２】
本発明のガスコンロにおいては、前記空気通過口が、前記カバー体の前記立ち上がり部に形成されていることが好ましい。
【００１３】
また、前記空気通過口の下端が、前記トッププレートの上面から所定距離だけ上方に位置するように構成されていることが好ましい。
【発明の効果】
【００１４】
本発明のガスコンロは、上述のように構成されており、一次空気を供給するための吸気口の要部を覆うカバー体は、吸気口の前端部より前方側の位置において、トッププレートの上面側から上方に向かって立ち上がる立ち上がり部と、前記吸気口の上方を覆う上方カバー部とを備えているとともに、カバー体は、一次空気が通過する空気通過口を備えているので、ガスコンロを、その後端部が壁と近接する態様で設置した場合にも、コンロバーナへの一次空気の供給路が確保される。
【００１５】
その結果、コンロバーナへの空気の供給に支障が生じることのない信頼性の高いガスコンロを提供することが可能になる。
【００１６】
なお、本発明において、カバー体が一次空気が通過する空気通過口を備えているとは、カバー体に空気通過口として機能する貫通口が形成されている場合や、カバー体とトッププレートの上面との間に空気が通過するような間隙が設けられている場合などを含む広い概念である。
【００１７】
また、本発明のガスコンロにおいては、カバー体により上記吸気口の主要部が使用者の視界から遮られるため美観が損なわれることを抑制することができる。
【００１８】
また、空気通過口を、カバー体の立ち上がり部に形成するようにした場合、上方カバー部に空気通過口が形成されている場合に比べて、ホコリなどの異物がガスコンロ本体内に侵入しにくくなり、好ましい。    
【００１９】
また、空気通過口の下端が、トッププレートの上面から所定距離だけ上方に位置するように構成した場合、ガスコンロによって加熱された調理容器から吹きこぼれが生じたときにも、吹きこぼれた煮汁がカバー体の前方側に形成された空気通過口を通過し、トッププレートに形成された吸気口を経てコンロ本体内に侵入することを抑制することが可能になり、信頼性の高いガスコンロを提供することができる。
【図面の簡単な説明】
【００２０】
【図１】本発明の一実施形態（実施形態１）にかかるガスコンロを示す斜視図である。
【図２】本発明の実施形態１にかかるガスコンロの要部構成を模式的に示す図であって、（ａ）は側面断面図、（ｂ）は正面断面図である。
【図３】本発明の他の実施形態（実施形態２）にかかるガスコンロの要部構成を模式的に示す図であって、（ａ）は側面断面図、（ｂ）は正面断面図である。
【図４】本発明の実施形態２にかかるガスコンロの変形例を示す要部正面断面図である。
【発明を実施するための形態】
【００２１】
以下、本発明の実施形態を示して、その特徴とするところをさらに詳しく説明する。
【００２２】
［実施形態１］
図１は、本発明の一実施形態（実施形態１）にかかるガスコンロＡ１の外観構成を示す斜視図である。
【００２３】
このガスコンロＡ１は、図１に示すように、３つのコンロバーナ１０（１０ａ、１０ｂ、１０ｃ）を備えた、キッチンカウンターに埋め込まれて設置されるドロップインタイプ（埋め込み型）のガスコンロである。
【００２４】
また、このガスコンロＡ１は、コンロ本体２０と、コンロ本体２０の上面の開口を覆うトッププレート１２とを備えている。
【００２５】
ガスコンロＡ１が備える３つのコンロバーナ１０はいずれも、炎孔１が設けられたバーナヘッド２と、燃料ガスとその燃焼用の一次空気とを混合する混合管３とを備えたガスバーナブンゼン式のガスバーナであり（図２（ａ）参照）、２つのコンロバーナ１０ａ、１０ｂは、トッププレート１２の前方側の左右に、トッププレート１２から上方に炎孔１を有するバーナヘッド２が露出するような態様で配設され、残りの１つのコンロバーナ１０ｃは、トッププレート１２の後方に、トッププレート１２から上方に炎孔１を有するバーナヘッド２が露出するような態様で配設されている。
【００２６】
また、３つのコンロバーナ１０（１０ａ、１０ｂ、１０ｃ）の周囲には、各コンロバーナ１０（１０ａ、１０ｂ、１０ｃ）により加熱される調理容器（図示せず）が載置される五徳１３がそれぞれ配設されている。
【００２７】
また、各コンロバーナ１０（１０ａ、１０ｂ、１０ｃ）の中央には、五徳１３上に載置された調理容器の底部の温度を検出するための温度センサ１４が配設されている。この温度センサ１４は、五徳１３上に載置された調理容器の底面に接することで調理容器の温度を検出する。
【００２８】
また、トッププレート１２上の手前側の領域には、３つのコンロバーナ１０（１０ａ、１０ｂ、１０ｃ）に対する操作、すなわち、点火、消火、炎調節などの操作を行う点消火操作部１５（１５ａ、１５ｂ、１５ｃ）が左右方向に並んで配置されている。
【００２９】
さらに、コンロ本体２０の内部には、上述のバーナヘッド２などとともにコンロバーナ１０（１０ａ、１０ｂ、１０ｃ）を構成する混合管３が配設されている（図２（ａ））。この混合管３は、上述のように、燃料ガスと、燃料ガスを燃焼させるための一次空気とを混合する機能を果たす。
【００３０】
なお、図２では、コンロバーナ１０（１０ｃ）と、コンロバーナ１０（１０ｃ）を構成する混合管３を示しているが、コンロバーナ１０（１０ａ，１０ｂ）も同様に混合管（図示せず）を備えている。
【００３１】
また、このガスコンロＡ１においては、トッププレート１２における後方側の領域に、三つのブンゼン式のコンロバーナ１０（１０ａ、１０ｂ、１０ｃ）の混合管３一次空気を供給するための吸気口６０が形成されている。
そして、トッププレート１２における後方側の領域には、上述の吸気口６０を覆うようにカバー体７０が配設されている。
【００３２】
なお、このガスコンロＡ１は、魚などを調理するグリルを備えていないが、グリルを備えたガスコンロにも本発明を適用することが可能である。
【００３３】
＜ガスコンロの特徴的構成＞
次に、本実施形態にかかるガスコンロＡ１の特徴的な構成について説明する。
【００３４】
図２（ａ）に示すように、本実施形態のガスコンロＡ１において、カバー体７０は、吸気口６０の前端部６０ａより前方側の位置において、トッププレート１２の上面１２ａ側から上方に向かって立ち上がる立ち上がり部７０ａと、吸気口６０の上方を覆う上方カバー部７０ｂとを備えている。
【００３５】
なお、本実施形態１では、カバー体７０の立ち上がり部７０ａも、トッププレート１２に形成された吸気口６０の上方の一部を覆うように構成されており、立ち上がり部７０ａと、上方カバー部７０ｂとが協働して、吸気口６０の上方を覆うように構成されている。
【００３６】
ただし、立ち上がり部７０ａが吸気口６０の上方を覆わず、上方カバー部７０ｂのみが吸気口６０の上方を覆うように構成することも可能である。
【００３７】
また、例えば、傾斜を有する立ち上がり部７０ａによって、吸気口６０の上方の全体が覆われるように構成することも可能である。その場合は、傾斜を有する立ち上がり部７０ａのうち、吸気口６０の上方を覆う領域が、本発明における上方カバー部７０ｂとなる。
【００３８】
なお、上述の種々の態様はいずれも本発明の範囲に含まれるものである。
【００３９】
そして、カバー体７０には、燃料ガスを燃焼させるための一次空気が通過する空気通過口８０が形成されている。
【００４０】
そして、本実施形態１においては、空気通過口８０が、カバー体７０の前方側、つまり吸気口６０の前端部６０ａより前方側の位置において、トッププレート１２の上面１２ａ側から立ち上がる立ち上がり部７０ａに形成されている。
【００４１】
上述のように、カバー体７０に形成された空気通過口８０は、図２（ａ）、（ｂ）に示すように、ガスコンロＡ１の後方に壁９０が存在し、ガスコンロＡ１の後端部が、後方の壁９０と近接して設置される場合に、特に有効に機能する。
【００４２】
すなわち、本実施形態にかかるガスコンロＡ１が、図２（ａ）に示すようにガスコンロＡ１の後方に存在する壁９０と近接して設置された場合、カバー体７０の後端部と壁９０に十分な隙間を確保することができず、その隙間から吸気口６０への空気の流入が行われにくい状態となった場合にも、図２（ａ）において矢印で示すように、カバー体７０の立ち上がり部７０ａに形成された空気通過口８０を経て、吸気口６０からコンロ本体２０内に空気が流入し、混合管３への一次空気の供給が確実に行われる。
【００４３】
その結果、後端部が後方の壁９０と近接して設置された場合にも、コンロバーナ１０への一次空気の供給に支障がなく、信頼性の高いガスコンロＡ１を提供することが可能になる。
【００４４】
なお、本実施形態では、空気通過口８０の下端８０ａが、トッププレート１２の上面１２ａから所定距離Ｇ（図２（ｂ）参照）（本実施形態では、例えばＧ＝５ｍｍ）だけ上方に位置するように構成されている。
【００４５】
このように、空気通過口８０の下端８０ａを、トッププレート１２の上面１２ａから所定距離だけ上方に位置させるようにした場合、コンロバーナ１０によって加熱された調理容器から吹きこぼれが生じた場合にも、吹きこぼれた煮汁がカバー体７０に形成された空気通過口８０、トッププレート１２に形成された吸気口６０を経てコンロ本体２０内に侵入することを抑制することが可能になり、信頼性の高いガスコンロＡ１を提供することができる。
【００４６】
また、本実施形態１にかかるガスコンロにＡ１おいては、カバー体７０により吸気口６０の主要部が使用者の視界から遮られるため美観が損なわれることを抑制することができる。
【００４７】
また、本実施形態１にかかるガスコンロにＡ１おいては、カバー体７０の立ち上がり部７０ａに空気通過口８０が配設されているので、ホコリなどの異物が吸気口６０上に落下して、コンロ本体２０内に侵入することを抑制することができる。
【００４８】
［実施形態２］
図３（ａ）は、本発明の他の実施形態（実施形態２）にかかるガスコンロＡ２の要部構成を模式的に示す側面断面図、（ｂ）は正面図である。
【００４９】
上記実施形態１においては、カバー体７０の立ち上がり部７０ａに空気通過口８０として機能する貫通口が形成されており、かつ、カバー体７０に形成された空気通過口８０の下端８０ａがトッププレート１２の上面１２ａから所定距離Ｇ（本実施形態では５ｍｍ）だけ上方に位置している場合について説明したが、  実施形態２では、図３（ａ），（ｂ）に示すように、カバー体７０の立ち上がり部７０ａには空気通過口となる貫通口を形成するのではなく、カバー体７０の立ち上がり部７０ａの下端部７０ｃと、トッププレート１２の上面１２ａとの間隙が空気通過口８０として機能するように構成されている。
【００５０】
具体的には、カバー体７０の立ち上がり部７０ａの下端部７０ｃと、トッププレート１２の上面１２ａとの間にスペーサ８１を配置し（図３（ｂ）参照）、カバー体７０の立ち上がり部７０ａの下端部７０ｃをトッププレート１２の上面１２ａから上方に離間させて支持し、トッププレート１２の上面１２ａとカバー体７０の立ち上がり部７０ａの下端部７０ｃとの間に、空気通過口８０として機能する空隙を形成するようにしている。
【００５１】
実施形態２の構成の場合、カバー体７０の立ち上がり部７０ａの下端部７０ｃの両端側に一対のスペーサ８１を配置するだけで、図３（ａ），（ｂ）に示すように、空気通過口８０を形成することが可能になり、カバー体７０に貫通口を形成することが不要になるため、構成を簡略化して、製造コストを低減することができる。
【００５２】
なお、本実施形態２のガスコンロにおいても、基本的に、上記実施形態１の場合と同様の作用効果を得ることができる。
【００５３】
［変形例］  また、図４は、実施形態２の変形例にかかるガスコンロＡ３の要部構成を示す図である。
この変形例では、図４に示すように、カバー体７０の立ち上がり部７０ａの下端部７０ｃの両端側に突出部７０ｄを形成し、カバー体７０の立ち上がり部７０ａの下端部７０ｃと、突出部７０ｄと、トッププレート１２の上面１２ａとによって規定される領域が空気通過口８０として機能するように構成されている。
【００５４】
図４に示す変形例のように、空気通過口８０を、カバー体７０の立ち上がり部７０ａの下端部７０ｃと、突出部７０ｄと、トッププレート１２の上面１２ａとによって形成するようにした場合、カバー体７０の前方側の下端部に、突出部７０ｄを設けるだけで空気通過口８０を形成することが可能になり、構成を簡略化することが可能になる。
【００５５】
なお、図４の構成の場合にも、図３（ａ），（ｂ）に示した実施形態２の場合と同様の作用効果を得ることができる。
【００５６】
本発明は、その他の点においても上記実施形態に限定されるものではなく、本発明の範囲内において種々の変形を加えることが可能である。
【符号の説明】
【００５７】
Ａ１、Ａ２、Ａ３      ガスコンロ
１      炎孔
２      バーナヘッド
３      混合管
１０（１０ａ、１０ｂ、１０ｃ）    コンロバーナ
１２    トッププレート
１２ａ  トッププレートの上面
１３    五徳
１４    温度センサ
１５（１５ａ、１５ｂ、１５ｃ）    点消火操作部
２０    コンロ本体
６０    吸気口
６０ａ  吸気口の前端部
７０    カバー体
７０ａ  立ち上がり部
７０ｂ  上方カバー部
７０ｃ  立ち上がり部の下端部
７０ｄ  突出部
８０    空気通過口
８０ａ  空気通過口の下端
８１    スペーサ
９０    壁
Ｇ      トッププレートの上面から空気通過口の下端までの距離
【図１】
2019082271.tif 000003
【図２】
2019082271.tif 000004
【図３】
2019082271.tif 000005
【図４】
2019082271.tif 000006